(57)【特許請求の範囲】
【請求項１】
ＡＶデータを分配するための分配器と、
前記分配器に接続され、分配されたＡＶデータを伝送する同軸ケーブルと、
前記分配器と、それぞれ、前記同軸ケーブルで接続されている、情報入出力端子を有する、複数の同軸ネットワークアダプタと、
前記情報入出力端子に接続されている情報入力部と、
前記複数の同軸ネットワークアダプタのそれぞれと接続されている、複数のＡＶ表示端末とを備え、
一の前記同軸ネットワークアダプタは、前記同軸ケーブルおよび前記分配器を介して、他の前記同軸ネットワークアダプタとの間でデータの送受信を行い、
前記情報入力部は、映像を撮影する映像入力装置および異常状態を検知するセンサーであり、
一の前記センサーが異常状態を検知すると、前記一のセンサーが接続されている前記一の同軸ネットワークアダプタは、前記他の同軸ネットワークアダプタに通知するとともに、前記一の同軸ネットワークアダプタに接続されている前記映像入力装置の撮影を開始するように制御する、同軸伝送システム。
【請求項２】
前記映像入力装置で撮影した映像が、前記映像入力装置が接続されている前記一の同軸ネットワークアダプタとは別の前記他の同軸ネットワークアダプタに接続されている前記ＡＶ表示端末に表示される、請求項１に記載の同軸伝送システム。
【請求項３】
前記他の同軸ネットワークアダプタは、前記他の同軸ネットワークアダプタに接続されている前記ＡＶ表示端末からの指示に応じて、前記一の同軸ネットワークアダプタに接続されている前記映像入力装置で撮影した映像を前記一の同軸ネットワークアダプタから受信し、前記他の同軸ネットワークアダプタに接続されている前記ＡＶ表示端末に表示させる、請求項２に記載の同軸伝送システム。
【請求項４】
前記一の同軸ネットワークアダプタが、前記一の同軸ネットワークアダプタに接続されている前記センサーが異常状態を検知すると、前記他の同軸ネットワークアダプタに接続されている前記ＡＶ表示端末の電源がＯＦＦの場合には、前記他の同軸ネットワークアダプタは、前記ＡＶ表示端末の電源をＯＮにする、請求項１に記載の同軸伝送システム。
【請求項５】
さらに、前記複数の同軸ネットワークアダプタは、それぞれ、異常状態の情報を蓄積する情報蓄積手段を有し、
それぞれの前記情報蓄積手段は、それぞれの前記情報蓄積手段を有する前記同軸ネットワークアダプタに接続されているセンサーが検知した異常情報を蓄積し、
前記一の同軸ネットワークアダプタは、前記他の同軸ネットワークアダプタが有する前記情報蓄積手段に蓄積された前記異常情報を受信する、請求項１または４に記載の同軸伝送システム。
【請求項６】
さらに、前記分配器に接続される管理用外部装置を備え、
前記複数の同軸ネットワークアダプタのうちの一の同軸ネットワークアダプタが、前記管理用外部装置と通信する、請求項１乃至５のいずれかに記載の同軸伝送システム。
【請求項７】
前記管理用外部装置と通信する前記一の同軸ネットワークアダプタが、前記管理用外部装置と通信できなくなった場合には、前記一の同軸ネットワークアダプタ以外の他の前記同軸ネットワークアダプタのうちの他の一の同軸ネットワークアダプタが、前記管理用外部装置と通信するようになる、請求項６に記載の同軸伝送システム。
【請求項８】
前記ＡＶ表示端末は、テレビであり、
前記複数の同軸ネットワークアダプタ間を伝送する信号は、テレビ放送用の信号の伝送周波数と異なる、請求項１乃至７のいずれかに記載の本発明の同軸伝送システム。
【発明の詳細な説明】
【技術分野】
【０００１】
本発明は、同軸ケーブルを利用した同軸伝送システムに関する。例えば、同軸ケーブルで結合されたネットワークを利用した監視システムに関するものである。
【背景技術】
【０００２】
セキュリティーシステムや、監視システムを構築する場合、外部契約会社が監視をする場所にセンサーやカメラなどを設置し、センサーなどが検知した発生場所を居住者に対し、主装置を介して視覚的に自動報知するものがあった（例えば、特許文献１参照）。
【０００３】
図９に、特許文献１に示される監視システムのレイアウト図を示す。
【０００４】
集合住宅１０１の各戸に、各戸用端末装置１０３が設置されている。そして、各戸に設置されている複数の感知器１０２（火災感知器、ガス漏れ感知器等）が、それぞれ各戸の各戸用端末装置１０３に接続されている。すべての各戸用端末装置１０３は、伝送ケーブル１１７により、管理人室等に設置された監視装置１１８に接続されている。そして、監視装置１１８は、電話回線により外部契約会社と接続されている。
【０００５】
ある住戸の感知器１０２が異常を感知すると、その住戸に設置されている各戸用端末装置１０３が、監視装置１１８に異常状態を通知する。そして、監視装置１１８は、異常状態が通知されると、別の各戸に設置されている各戸用端末装置１０３にその異常状態を通知するとともに、電話回線を通じて外部契約会社に自動通知する。監視装置１１８から異常状態の通知を受けた各戸用端末装置１０３は、表示及びブザー鳴動によって、各戸の居住者に異常が発生したことを知らせるようになっている。
【０００６】
このような従来の監視システムでは、監視装置１１８と各戸用端末装置１０３を接続する伝送ケーブル１１７として、電波、光ファイバー、同軸ケーブル等が使用されている。
【０００７】
また、最近では、宅内の部屋間で、パソコン、情報機器、家電等の間で通信を行うようになってきている。そして、この部屋間における通信方法として、イーサネット（登録商標）や無線ＬＡＮ等が用いられている。
【特許文献１】特開平８−２７３０７５号公報
【発明の開示】
【発明が解決しようとする課題】
【０００８】
しかしながら、従来の部屋間を伝送する、イーサネットや無線ＬＡＮを用いた方法では、新たに部屋間にＬＡＮケーブルを敷設したり無線ＬＡＮ用の設備を準備する必要があり、コスト高となる問題があった。また、無線ＬＡＮ等の無線を使用する場合には、セキュリティ上の問題があった。
【０００９】
一方、特許文献１に示した監視システムでは、監視装置１１８と各戸用端末装置１０３との間をテレビ用に敷設された同軸ケーブルを利用する方法も提示されているが、監視場所に設置される感知器１０２やカメラとを束ねる集中管理装置である監視装置１１８が必要であった。また、各戸用端末装置１０３間同士での通信はできなかった。
【００１０】
また、その監視装置１１８が不能になると、全ての監視システム、セキュリティーシステムがダウンしてしまう問題があった。
【００１１】
また、外部契約会社との通信方法に電話回線を用いており、帯域幅等の問題により、大量のデータを転送することができなかった。
【００１２】
本発明は、上記従来の課題を解決するもので、安いコストで各部屋間同士の通信を行える、同軸伝送システムを提供することを目的とする。
【課題を解決するための手段】
【００１３】
上述した課題を解決するために、第１の本発明は、
ＡＶデータを分配するための分配器と、
前記分配器に接続され、分配されたＡＶデータを伝送する同軸ケーブルと、
前記分配器と、それぞれ、前記同軸ケーブルで接続されている、情報入出力端子を有する、複数の同軸ネットワークアダプタと、
前記情報入出力端子に接続されている情報入力部と、
前記複数の同軸ネットワークアダプタのそれぞれと接続されている、複数のＡＶ表示端末とを備え、
一の前記同軸ネットワークアダプタは、前記同軸ケーブルおよび前記分配器を介して、他の前記同軸ネットワークアダプタとの間でデータの送受信を行い、
前記情報入力部は、映像を撮影する映像入力装置および異常状態を検知するセンサーであり、
一の前記センサーが異常状態を検知すると、前記一のセンサーが接続されている前記一の同軸ネットワークアダプタは、前記他の同軸ネットワークアダプタに通知するとともに、前記一の同軸ネットワークアダプタに接続されている前記映像入力装置の撮影を開始するように制御する、同軸伝送システムである。
【００１４】
第２の本発明は、
前記映像入力装置で撮影した映像が、前記映像入力装置が接続されている前記一の同軸ネットワークアダプタとは別の前記他の同軸ネットワークアダプタに接続されている前記ＡＶ表示端末に表示される、第１の本発明の同軸伝送システムである。
【００１５】
第３の本発明は、
前記他の同軸ネットワークアダプタは、前記他の同軸ネットワークアダプタに接続されている前記ＡＶ表示端末からの指示に応じて、前記一の同軸ネットワークアダプタに接続されている前記映像入力装置で撮影した映像を前記一の同軸ネットワークアダプタから受信し、前記他の同軸ネットワークアダプタに接続されている前記ＡＶ表示端末に表示させる、第２の本発明の同軸伝送システムである。
【００１９】
第４の本発明は、
前記一の同軸ネットワークアダプタが、前記一の同軸ネットワークアダプタに接続されている前記センサーが異常状態を検知すると、前記他の同軸ネットワークアダプタに接続されている前記ＡＶ表示端末の電源がＯＦＦの場合には、前記他の同軸ネットワークアダプタは、前記ＡＶ表示端末の電源をＯＮにする、第１の本発明の同軸伝送システムである。
【００２０】
第５の本発明は、
さらに、前記複数の同軸ネットワークアダプタは、それぞれ、異常状態の情報を蓄積する情報蓄積手段を有し、
それぞれの前記情報蓄積手段は、それぞれの前記情報蓄積手段を有する前記同軸ネットワークアダプタに接続されているセンサーが検知した異常情報を蓄積し、
前記一の同軸ネットワークアダプタは、前記他の同軸ネットワークアダプタが有する前記情報蓄積手段に蓄積された前記異常情報を受信する、第１または第４の本発明の同軸伝送システムである。
【００２１】
第６の本発明は、
さらに、前記分配器に接続される管理用外部装置を備え、
前記複数の同軸ネットワークアダプタのうちの一の同軸ネットワークアダプタが、前記管理用外部装置と通信する、第１乃至第５のいずれかの本発明の同軸伝送システムである。
【００２２】
第７の本発明は、
前記管理用外部装置と通信する前記一の同軸ネットワークアダプタが、前記管理用外部装置と通信できなくなった場合には、前記一の同軸ネットワークアダプタ以外の他の前記同軸ネットワークアダプタのうちの他の一の同軸ネットワークアダプタが、前記管理用外部装置と通信するようになる、第６の本発明の同軸伝送システムである。
【００２３】
第８の本発明は、
前記ＡＶ表示端末は、テレビであり、
前記複数の同軸ネットワークアダプタ間を伝送する信号は、テレビ放送用の信号の伝送周波数と異なる、第１乃至第７のいずれかの本発明の同軸伝送システムである。
【発明の効果】
【００２４】
本発明により、安いコストで各部屋間同士の通信を行える、同軸伝送システムを提供できる。
【発明を実施するための最良の形態】
【００２５】
以下、本発明の実施の形態について図面を参照しながら説明する。
【００２６】
（実施の形態１）
図１に、本発明の同軸伝送システムを利用した、実施の形態１の監視システムの構成図を示す。まず、図１を用いて、本実施の形態１の監視システムの構成を説明する。
【００２７】
監視対象の民家１に、既存の同軸ケーブル４が配線されている。この同軸ケーブル４の配線は、従来のＴＶを視聴するために配線されたもので、新たに配線するものではない。
【００２８】
部屋Ａ〜Ｄの各部屋には、同軸ネットワークアダプタ５〜８が設置されており、それぞれ、民家１内に配線された同軸ケーブル４で分配器２に接続されている。そして、各部屋ごとに、センサー１３〜１６とモニタＴＶ９〜１２が設置されている。センサー１３〜１６は、火災感知器、ガス漏れ感知器、侵入者感知器などの異常を検知するものである。なお、分配器２は、アンテナやＣＡＴＶからの通常のテレビ用の信号（ＡＶデータ）を、複数のテレビに分配するものである。
【００２９】
各部屋に設置されているセンサー１３〜１６、モニタＴＶ９〜１２は、Ｅｔｈｅｒｎｅｔ３により、各部屋の同軸ネットワークアダプタ５〜８の情報入出力端子５０、５１、５３、５４、５６、５７、５９、６０に、それぞれ接続されている。
【００３０】
なお、同軸ネットワークアダプタ５〜８と、センサー１３〜１６およびモニタＴＶ９〜１２間との接続は、Ｅｔｈｅｒｎｅｔ３以外の、他の方式、他のケーブルによる接続でもよい。例えば、無線ユニット等を取り付けて無線で信号を送受信してもよいし、また、同軸ケーブルで接続してもよい。
【００３１】
なお、センサー１３〜１６は、本発明の情報入力部の一例である。また、モニタＴＶ９〜１２は、本発明のＡＶ表示端末の一例である。
【００３２】
次に、本実施の形態１の監視システムの動作について説明する。
【００３３】
民家１の部屋Ｄに住民３３が居るときに、そのときに住民の居ない部屋Ａで異常が発生したと仮定する。したがって、本実施の形態１の説明では、部屋Ａの同軸ネットワークアダプタ５が、本発明の一の同軸ネットワークアダプタの一例であり、部屋Ｂ、Ｃ、Ｄに設置された同軸ネットワークアダプタ６〜８が、本発明の他の同軸ネットワークアダプタの一例となる。
【００３４】
部屋Ａで異常が発生すると、部屋Ａのセンサー１３は異常を検知し、その情報を部屋Ａの同軸ネットワークアダプタ５へＥｔｈｅｒｎｅｔ３により送信する。センサー１３からの異常があったことを伝える信号を受信した同軸ネットワークアダプタ５は、他の各部屋Ｂ、Ｃ、Ｄに設置された同軸ネットワークアダプタ６〜８へ、センサー１３から受信した異常信号を同軸ケーブル４及び分配器２を介して送信する。
【００３５】
次に、同軸ネットワークアダプタ６〜８が、同軸ネットワークアダプタ５からの異常信号を受信した後の、各部屋Ｂ、Ｃ、Ｄに設置されている装置の動作について説明する。ここでは、部屋Ｄの各装置について説明する。
【００３６】
部屋Ｄの同軸ネットワークアダプタ８は、部屋Ａの同軸ネットワークアダプタ５からの異常信号を受信すると、Ｅｔｈｅｒｎｅｔ３で接続されたモニタＴＶ１２へ異常信号を送信する。そして、モニタＴＶ１２は、同軸ネットワークアダプタ８からの異常信号を受信すると、部屋Ａで異常が検知されたことを、視覚的に住民３３に通知する。
【００３７】
ここで、モニタＴＶ１２の電源がＯＦＦだった場合には、同軸ネットワークアダプタ８は、同軸ネットワークアダプタ５からの異常信号を受信すると、モニタＴＶ１２の電源をＯＮにした後に、モニタＴＶ１２へ異常信号を送信し、住民３３に通知する。
【００３８】
このように、本実施の形態１の監視システムは、既存の同軸ケーブル配線を利用して、住民３３の居る部屋以外の場所で異常が発生した場合においても、住民３３が異常発生を知ることを実現するシステムである。
【００３９】
なお、本実施の形態１では、同軸ネットワークアダプタ間の通信には、テレビ放送用の情報に用いる周波数とは異なる周波数を用いている。これによって、テレビ放送用の情報に妨害を与えることなく情報を伝送でき、モニタＴＶ９〜１２は、通常はテレビとして使用可能になっている。
【００４０】
なお、本実施の形態１の監視システムでは、部屋Ｄに設置されている各装置の動作について説明したが、部屋Ｂおよび部屋Ｃの各装置、すなわち、同軸ネットワークアダプタ６、７およびモニタＴＶ１０、１１も同様の動作をとる事は言うまでもない。
【００４１】
また、本実施の形態１では、異常が検知されたことを、モニタＴＶ１２によって視覚的に住民３３に知らせることとしたが、音声やブザーの鳴動などで聴覚的に知らせてもよい。
【００４２】
（実施の形態２）
図２に、本発明の同軸伝送システムを利用した、実施の形態２の監視システムの構成図を示す。まず、図２を用いて、本実施の形態２の監視システムの構成を説明する。
【００４３】
実施の形態１の場合と同様に、監視対象の民家１の部屋Ａ〜Ｄの各部屋には、同軸伝送システムを利用するために必要な同軸ネットワークアダプタ５〜８が設置されており、それぞれ、分配器２を介して、民家１内に配線された同軸ケーブル４で接続されている。
【００４４】
各部屋に設置されているセンサー１３〜１６、監視装置１７〜２０、モニタＴＶ９〜１２は、Ｅｔｈｅｒｎｅｔ３により、各部屋の同軸ネットワークアダプタ５〜８の情報入出力端子５０〜６１に、それぞれ接続されている。なお、監視装置１７〜２０は、本発明の映像入力装置の一例であり、カメラなどの映像情報を取得するものであればよい。
【００４５】
次に、本実施の形態２の監視システムの動作について説明する。
【００４６】
民家１の部屋Ｄに住民３３が居るときに、そのときに住民の居ない部屋Ａで異常が発生したと仮定する。
【００４７】
部屋Ａで異常が発生すると、部屋Ａのセンサー１３は異常を検知し、その情報を部屋Ａの同軸ネットワークアダプタ５へ送信する。センサー１３からの異常があったことを伝える信号を受信した同軸ネットワークアダプタ５は、他の各部屋Ｂ、Ｃ、Ｄに設置された同軸ネットワークアダプタ６〜８へ、センサー１３から受信した異常信号を同軸ケーブル４及び分配器２を介して送信する。
【００４８】
次に、同軸ネットワークアダプタ６〜８が、同軸ネットワークアダプタ５からの異常信号を受信した後の、各部屋Ｂ、Ｃ、Ｄに設置されている各装置の動作について説明する。ここでは、部屋Ｄの各装置について説明する。
【００４９】
部屋Ｄの同軸ネットワークアダプタ８は、部屋Ａの同軸ネットワークアダプタ５からの異常信号を受信すると、Ｅｔｈｅｒｎｅｔ３で接続されたモニタＴＶ１２へ異常信号を送信する。そして、モニタＴＶ１２は、部屋Ａで異常を検知したことを視覚的に住民３３に通知する。さらに、異常が起こっている場所（部屋Ａ）での映像をモニタＴＶ１２で視聴するかどうかを住民３３に尋ねる。
【００５０】
次に、住民３３が異常発生場所（部屋Ａ）での映像を視聴する場合の動作について説明する。
【００５１】
住民３３が、モニタＴＶ１２によって異常発生場所での状況を視聴する要求をすると、モニタＴＶ１２はＥｔｈｅｒｎｅｔ３を通じて同軸ネットワークアダプタ８に視聴要求信号を送信する。住民３３の視聴要求の指示は、例えば、モニタＴＶ１２に対してリモコンによって指示する。また、モニタＴＶ１２に備えられた入力装置を使用する等、その他の入力方法によって指示してもよい。
【００５２】
モニタＴＶ１２からの視聴要求信号を受信した同軸ネットワークアダプタ８は、同軸ケーブル４及び分配器２を介して、異常が発生している部屋Ａの同軸ネットワークアダプタ５へ視聴要求信号を送信する。
【００５３】
そして、部屋Ｄの同軸ネットワークアダプタ８からの視聴要求信号を受信した部屋Ａの同軸ネットワークアダプタ５は、Ｅｔｈｅｒｎｅｔ３で接続されている部屋Ａの監視装置１７へ視聴要求信号を送信する。視聴要求信号を受信した監視装置１７は、部屋Ａの状況を撮影し、取得した映像情報を同軸ネットワークアダプタ５に送信する。
【００５４】
同軸ネットワークアダプタ５は、監視装置１７からの映像情報を受信すると、同軸ケーブル４及び分配器２を介して、視聴要求のあった部屋Ｄの同軸ネットワークアダプタ８へその映像情報を送信する。
【００５５】
映像情報を受信した同軸ネットワークアダプタ８は、モニタＴＶ１２に取得した映像情報を送信する。そして、モニタＴＶ１２は、この映像情報を画面に映し出す。これによって、住民３３は異常が発生した場所（部屋Ａ）の状況を詳細に知ることができ、不安も軽減され、迅速に対応できるようになる。
【００５６】
なお、本実施の形態２の監視システムでは、部屋Ｄに設置されている各装置の動作について説明したが、部屋Ｂおよび部屋Ｃの各装置、すなわち、同軸ネットワークアダプタ６、７、監視装置１８、１９、モニタＴＶ１０、１１も同様の動作をとる事は言うまでもない。
【００５７】
（実施の形態３）
図３に、本発明の同軸伝送システムを利用した実施の形態３の監視システムの構成図を示す。まず、図３を用いて、本実施の形態３の監視システムの構成を説明する。
【００５８】
本実施の形態３の監視システムは、図１に示した実施の形態１の監視システムとは、各部屋Ａ〜Ｄに設置されている同軸ネットワークアダプタが異常情報を蓄積する蓄積機能を備えている点のみが異なり、それ以外の構成は実施の形態１と同様である。
【００５９】
部屋Ａ〜Ｄの各部屋には、蓄積機能付同軸ネットワークアダプタ２１〜２４が設置されており、それぞれ、民家１内に配線された同軸ケーブル４で分配器２に接続されている。そして、各部屋に設置されているセンサー１３〜１６、モニタＴＶ９〜１２は、Ｅｔｈｅｒｎｅｔ３により、各部屋の蓄積機能付同軸ネットワークアダプタ２１〜２４の情報入出力端子７０、７１、７３、７４、７６、７７、７９、８０に、それぞれ接続されている。
【００６０】
蓄積機能付同軸ネットワークアダプタ２１〜２４の蓄積機能とは、各蓄積機能付同軸ネットワークアダプタ２１〜２４に接続されているセンサー１３〜１６から受信した異常情報をログとして残す機能である。ログの内容としては、発生日時、発生内容などであり、異常状況がわかるものであればよい。また、蓄積機能は、ＨＤＤであったり、メディアを利用したものでもよく、情報を蓄積できる機能があればよいことは言うまでもない。なお、蓄積機能付同軸ネットワークアダプタ２１〜２４の蓄積機能は、本発明の情報蓄積手段の一例である。
【００６１】
次に、本実施の形態３の監視システムの動作について説明する。
【００６２】
実施の形態１と同様に、民家１の部屋Ｄに住民３３が居るときに、そのときに住民の居ない部屋Ａで異常が発生したと仮定する。したがって、本実施の形態３の説明では、部屋Ａの蓄積機能付同軸ネットワークアダプタ２１が、本発明の一の同軸ネットワークアダプタの一例であり、部屋Ｂ、Ｃ、Ｄに設置された蓄積機能付同軸ネットワークアダプタ２２〜２４が、本発明の他の同軸ネットワークアダプタの一例となる。
【００６３】
部屋Ａで異常が発生すると、部屋Ａのセンサー１３は異常を検知し、その情報を部屋Ａの蓄積機能付同軸ネットワークアダプタ２１へ送信する。センサー１３からの異常を検知した信号を受信した蓄積機能付同軸ネットワークアダプタ２１は、他の各部屋Ｂ、Ｃ、Ｄに設置された蓄積機能付同軸ネットワークアダプタ２２〜２４へ、センサー１３から受信した異常信号を同軸ケーブル４及び分配器２を介して送信すると同時に、センサー１３から受信した異常情報を蓄積機能付同軸ネットワークアダプタ２１自身の蓄積機能にログとして残す。
【００６４】
また、各部屋Ｂ、Ｃ、Ｄで、蓄積機能付同軸ネットワークアダプタ２１からの異常発生信号を受信した蓄積機能付同軸ネットワークアダプタ２２〜２４は、実施の形態１の場合と同様の機能を果たし、住民のいる部屋で異常個所の状況をモニタＴＶ１０〜１２を通じて自発的に通知する。詳細は、実施の形態１で説明した通りである。
【００６５】
蓄積機能付同軸ネットワークアダプタ２１〜２４に蓄積されたログは、同軸ケーブル及び分配器２を介して、いつでも他の部屋で見ることができる。また、各部屋の蓄積機能付同軸ネットワークアダプタ２１〜２４は、互いに定期的に通信を行い、どの蓄積機能付同軸ネットワークアダプタがどういう情報を蓄積しているかを相互に把握できるようになっている。
【００６６】
ここでは、例として、部屋Ｄにいる住民３３がモニタＴＶ１２を利用して、部屋Ａの蓄積機能付同軸ネットワークアダプタ２１に蓄積されたログを見る場合について説明する。
【００６７】
まず、住民３３がモニタＴＶ１２によって蓄積情報の視聴要求をすると、モニタＴＶ１２は、蓄積機能付同軸ネットワークアダプタ２４に対して、蓄積情報視聴要求信号を送信する。住民３３の視聴要求の指示は、例えば、モニタＴＶ１２に対してリモコンによって指示する。また、モニタＴＶ１２に備えられた入力装置を使用する等、その他の入力方法によって指示してもよい。
【００６８】
部屋Ｄの蓄積機能付同軸ネットワークアダプタ２４は、モニタＴＶ１２からの蓄積情報視聴要求信号を受信すると、ログを蓄積している蓄積機能付同軸ネットワークアダプタがどこに存在するか把握しているので、現在ログを蓄積している部屋Ａの蓄積機能付同軸ネットワークアダプタ２１へ、同軸ケーブル及び分配器２を介して蓄積情報視聴要求信号を送信する。もし、複数の蓄積機能付同軸ネットワークアダプタがログを蓄積している場合には、モニタＴＶ１２の画面に表示させて、どの蓄積機能付同軸ネットワークアダプタのログを取得するかを住民３３に選択させることができる。
【００６９】
そして、部屋Ｄの蓄積機能付同軸ネットワークアダプタ２４からの蓄積情報視聴要求信号を受信した部屋Ａの蓄積機能付同軸ネットワークアダプタ２１は、蓄積機能付同軸ネットワークアダプタ２１自身に蓄積されているログを、部屋Ｄの蓄積機能付同軸ネットワークアダプタ２４へ送信する。そして、蓄積機能付同軸ネットワークアダプタ２１の蓄積情報を受信した部屋Ｄの蓄積機能付同軸ネットワークアダプタ２４は、Ｅｔｈｅｒｎｅｔ３を利用してモニタＴＶ１２へ、その蓄積情報を送信する。
【００７０】
また、各蓄積機能付同軸ネットワークアダプタ２１〜２４に蓄積された情報は、住民３３の操作によって他の部屋から削除することも可能である。
【００７１】
これによって、住民３３は、蓄積機能付同軸ネットワークアダプタ２１に蓄積された情報をいつでも他の部屋Ｂ、Ｃ、Ｄから視聴することができる。また、住民３３が不在であったり、視聴要求をしなかった場合においてもログを蓄積できることで、後の解析などに役立てることができる。
【００７２】
（実施の形態４）
図４に、本発明の同軸伝送システムを利用した実施の形態４の監視システムの構成図を示す。まず、図４を用いて、本実施の形態４の監視システムの構成を説明する。
【００７３】
本実施の形態４の監視システムは、図２に示した実施の形態２の監視システムとは、各部屋Ａ〜Ｄに設置されている同軸ネットワークアダプタが異常情報及び映像情報を蓄積する蓄積機能を備えている点のみが異なり、それ以外の構成は実施の形態２と同様である。
【００７４】
部屋Ａ〜Ｄの各部屋には、蓄積機能付同軸ネットワークアダプタ２１〜２４が設置されており、それぞれ、民家１内に配線された同軸ケーブル４で分配器２に接続されている。そして、各部屋に設置されているセンサー１３〜１６、監視装置１７〜２０、モニタＴＶ９〜１２は、Ｅｔｈｅｒｎｅｔ３により、各部屋の蓄積機能付同軸ネットワークアダプタ２１〜２４の情報入出力端子７０〜８１に、それぞれ接続されている。
【００７５】
蓄積機能付同軸ネットワークアダプタ２１〜２４の蓄積機能とは、各蓄積機能付同軸ネットワークアダプタ２１〜２４に接続されているセンサー１３〜１６から受信した異常情報と監視装置１７〜２０で撮影した映像情報とを蓄積する機能である。蓄積機能は、ＨＤＤであったり、メディアを利用したものでもよく、情報を蓄積できる機能があればよいことは言うまでもない。
【００７６】
次に、本実施の形態４の監視システムの動作について説明する。
【００７７】
実施の形態２と同様に、民家１の部屋Ｄに住民３３が居るときに、そのときに住民の居ない部屋Ａで異常が発生したと仮定する。
【００７８】
部屋Ａで異常が発生すると、部屋Ａのセンサー１３は異常を検知し、その情報を部屋Ａの蓄積機能付同軸ネットワークアダプタ２１へ送信する。センサー１３からの異常を検知した信号を受信した蓄積機能付同軸ネットワークアダプタ２１は、各部屋Ｂ、Ｃ、Ｄに設置された蓄積機能付同軸ネットワークアダプタ２２〜２４へ、センサー１３から受信した異常信号を同軸ケーブル４及び分配器２を介して送信すると同時に、部屋Ａの監視装置１７に監視要求信号を送信する。
【００７９】
監視装置１７は、部屋Ａの蓄積機能付同軸ネットワークアダプタ２１からの監視要求信号を受信すると、部屋Ａの状況を撮影し、取得した映像情報を部屋Ａの蓄積機能付同軸ネットワークアダプタ２１へ送信する。そして、部屋Ａの蓄積機能付同軸ネットワークアダプタ２１は、監視装置１７から受信した映像情報を蓄積する。また、各部屋の蓄積機能付同軸ネットワークアダプタ２１〜２４は、互いに定期的に通信を行い、どの同軸ネットワークアダプタがどういう情報を蓄積しているか相互に把握できるようになっている。
【００８０】
また、各部屋Ｂ、Ｃ、Ｄで、蓄積機能付同軸ネットワークアダプタ２１からの異常発生信号を受信した蓄積機能付同軸ネットワークアダプタ２２〜２４は、実施の形態２の場合と同様の機能を果たし、住民のいる部屋Ｂ、Ｃ、Ｄで異常個所（部屋Ａ）の状況を視聴可能にする。詳細は実施の形態２で説明した通りである。
【００８１】
蓄積機能付同軸ネットワークアダプタ２１〜２４に蓄積された情報は、同軸ケーブル及び分配器２を介して、いつでも他の部屋から視聴することができる。
【００８２】
ここでは、例として、部屋Ｄにいる住民３３が、モニタＴＶ１２を利用して、部屋Ａの蓄積機能付同軸ネットワークアダプタ２１に蓄積された映像情報を視聴する場合について説明する。
【００８３】
まず、住民３３がモニタＴＶ１２によって蓄積情報の視聴要求をすると、モニタＴＶ１２は、蓄積機能付同軸ネットワークアダプタ２４に蓄積情報視聴要求信号を送信する。住民３３の視聴要求の指示は、例えば、モニタＴＶ１２に対してリモコンによって指示する。また、モニタＴＶ１２に備えられた入力装置を使用する等、その他の入力方法によって指示してもよい。
【００８４】
部屋Ｄの蓄積機能付同軸ネットワークアダプタ２４は、モニタＴＶ１２から蓄積情報視聴要求信号を受信すると、映像情報を蓄積している蓄積機能付同軸ネットワークアダプタがどこに存在するか把握しているので、現在映像情報を蓄積している部屋Ａの蓄積機能付同軸ネットワークアダプタ２１へ、同軸ケーブル及び分配器２を介して蓄積情報視聴要求信号を送信する。もし、複数の蓄積機能付同軸ネットワークアダプタが映像情報を蓄積している場合は、モニタＴＶ１２の画面に表示させて、どの蓄積機能付同軸ネットワークアダプタの映像情報を取得するかを住民３３に選択させることができる。
【００８５】
そして、部屋Ｄの蓄積機能付同軸ネットワークアダプタ２４からの蓄積情報視聴要求信号を受信した部屋Ａの蓄積機能付同軸ネットワークアダプタ２１は、蓄積機能付同軸ネットワークアダプタ２１自身に蓄積されている映像情報を、部屋Ｄの蓄積機能付同軸ネットワークアダプタ２４へ送信する。そして、蓄積機能付同軸ネットワークアダプタ２１に蓄積されている映像情報を受信した部屋Ｄの蓄積機能付同軸ネットワークアダプタ２４は、その映像情報を、Ｅｔｈｅｒｎｅｔ３を利用してモニタＴＶ１２へ送信する。
【００８６】
また、各蓄積機能付同軸ネットワークアダプタ２１〜２４に蓄積された映像情報は、住民３３の操作によって他の部屋から削除することも可能である。
【００８７】
これによって、住民３３は蓄積機能付同軸ネットワークアダプタ２１に蓄積された映像情報を、いつでも他の部屋から視聴することができる。また、住民３３が不在であったり、視聴要求をしなかった場合においても映像情報を蓄積できることで、後の解析などに役立てることができる。
【００８８】
（実施の形態５）
図５に、本発明の同軸伝送システムを利用した、実施の形態５の監視システムの構成図を示す。まず、図５を用いて、本実施の形態５の監視システムの構成を説明する。
【００８９】
本実施の形態５の監視システムは、図１に示した実施の形態１の監視システムと同じ構成であるが、監視対象の建物である民家１が、警備会社２５と分配器２から同軸ケーブル網で繋がっている点が実施の形態１と異なる。この同軸ケーブル網は、既存のＣＡＴＶの配線を利用してもよい。
【００９０】
そして、民家１内に設置されている同軸ネットワークアダプタ５〜８の少なくとも一つは外部契約機関と通信を行うことができる役割を担っている。ここでいう外部契約機関とは、本発明の管理用外部装置の一例であり、本実施の形態５では警備会社２５としているが、その他の機関や総合監視する場所であってもよいことは言うまでもない。なお、本実施の形態５では、この外部契約機関と通信ができる同軸ネットワークアダプタは、部屋Ｃに設置されている同軸ネットワークアダプタ６として説明する。
【００９１】
次に、本実施の形態５の監視システムの動作について説明する。
【００９２】
実施の形態１と同様に、民家１の部屋Ｄに住民３３が居るときに、そのときに住民の居ない部屋Ａで異常が発生したと仮定する。
【００９３】
部屋Ａで異常が発生すると、部屋Ａのセンサー１３は異常を検知し、その情報を部屋Ａの同軸ネットワークアダプタ５へ送信する。センサー１３からの異常があったことを伝える信号を受信した同軸ネットワークアダプタ５は、他の各部屋Ｂ、Ｃ、Ｄに設置された同軸ネットワークアダプタ６〜８へ、センサー１３から受信した異常信号を同軸ケーブル４及び分配器２を介して送信する。
【００９４】
次に、同軸ネットワークアダプタ６〜８が、同軸ネットワークアダプタ５からの異常信号を受信した後の、各部屋Ｂ、Ｃ、Ｄに設置されている各装置の動作について説明する。ここでは、部屋Ｄの各装置について説明する。
【００９５】
部屋Ｄの同軸ネットワークアダプタ８は、部屋Ａの同軸ネットワークアダプタ５からの異常信号を受信すると、Ｅｔｈｅｒｎｅｔ３で接続されたモニタＴＶ１２へ異常信号を送信する。そして、モニタＴＶ１２は、同軸ネットワークアダプタ８からの異常信号を受信すると、部屋Ａで異常が検知されたことを視覚的に住民３３に通知し、さらに警備会社２５へ通報するかどうかを住民３３に尋ねる。
【００９６】
住民３３が警備会社２５へ通報することを選択すると、モニタＴＶ１２は、外部通報信号をＥｔｈｅｒｎｅｔ３を利用して同軸ネットワークアダプタ８へ送信する。モニタＴＶ１２から外部通報信号を受信した同軸ネットワークアダプタ８は、警備会社２５との通信を行うことができる部屋Ｃの同軸ネットワークアダプタ６へ、同軸ケーブル４及び分配器２を介して外部通報信号を送信する。
【００９７】
そして、同軸ネットワークアダプタ８からの外部通報信号を受信した部屋Ｃの同軸ネットワークアダプタ６は、同軸ケーブル網を利用して外部の警備会社２５に通報する。
【００９８】
これによって、外部機関に対して即座に情報が伝わり、迅速に対応できる。
【００９９】
（実施の形態６）
図６に、本発明の同軸伝送システムを利用した、実施の形態６の監視システムの構成図を示す。まず、図６を用いて、本実施の形態６の監視システムの構成を説明する。
【０１００】
本実施の形態６の監視システムは、図２に示した実施の形態２の監視システムと同じ構成であるが、監視対象の建物である民家１が、警備会社２５と分配器２から同軸ケーブル網で繋がっている点が実施の形態２と異なる。
【０１０１】
そして、民家１内に設置されている同軸ネットワークアダプタ５〜８の少なくとも一つは警備会社２５と通信を行うことができる役割を担っている。なお、本実施の形態６では、警備会社２５と通信ができる同軸ネットワークアダプタは、部屋Ｃに設置されている同軸ネットワークアダプタ６として説明する。
【０１０２】
次に、本実施の形態６の監視システムの動作について説明する。
【０１０３】
実施の形態２と同様に、民家１の部屋Ｄに住民３３が居るときに、そのときに住民の居ない部屋Ａで異常が発生したと仮定する。
【０１０４】
部屋Ａで異常が発生すると、同軸ケーブル４及び分配器２を利用して、住民３３のいる部屋ＤのモニタＴＶ１２の画面に、異常が発生した部屋Ａの監視装置１７が撮影している詳細な様子が映し出される。
【０１０５】
モニタＴＶ１２は、部屋Ａの映像を映し出すと同時に、住民３３に現在映し出されている映像を警備会社２５に送信するかどうかを尋ねる。
【０１０６】
住民３３が、警備会社２５に送信する事を選択すると、モニタＴＶ１２は同軸ネットワークアダプタ８へ外部通報信号を送信する。モニタＴＶ１２からの外部通報信号を受信した同軸ネットワークアダプタ８は、同軸ケーブル４及び分配器２を介して、外部との通信を行うことのできる部屋Ｃの同軸ネットワークアダプタ６へ外部通報信号を送信する。そして、部屋Ｃの同軸ネットワークアダプタ６は、同軸ネットワークアダプタ８からの外部通報信号を受信すると、警備会社２５へ、同軸ケーブル網を利用して、部屋Ａでの詳細な情報（撮影映像など）を送信する。
【０１０７】
これによって、外部機関である警備会社２５に対して、より詳細な情報を伝えることができる。また、外部機関との通信には、従来は電話回線を利用していたのに対し、本実施の形態６では同軸ケーブルを利用しているので、映像情報等の大量のデータも送信できる。
【０１０８】
（実施の形態７）
図７に、本発明の同軸伝送システムを利用した、実施の形態７の監視システムの構成図を示す。まず、図７を用いて、本実施の形態７の監視システムの構成を説明する。
【０１０９】
本実施の形態７の監視システムは、図４に示した実施の形態４の監視システムと同じ構成であるが、監視対象の民家１が、警備会社２５と分配器２から同軸ケーブル網で繋がっている点が実施の形態４と異なる。
【０１１０】
そして、民家１内に設置されている蓄積機能付同軸ネットワークアダプタ２１〜２４の少なくとも一つは、警備会社２５と通信を行うことができる役割を担っている。なお、本実施の形態７では、警備会社２５と通信ができる蓄積機能付同軸ネットワークアダプタは、部屋Ｃに設置されている蓄積機能付同軸ネットワークアダプタ２２として説明する。また、各部屋に設置された蓄積機能付同軸ネットワークアダプタ２１〜２４は、相互に情報交換を行っているため、どの蓄積機能付同軸ネットワークアダプタがどのような情報を取得しているかを把握している。
【０１１１】
次に、本実施の形態７の監視システムの動作について説明する。
【０１１２】
実施の形態３、４と同様に、部屋Ａの蓄積機能付同軸ネットワークアダプタ２１に、ログや映像情報が蓄積されている場合について説明する。本実施の形態７の監視システムは、これらの情報を外部機関から吸い上げられるシステムである。
【０１１３】
警備会社２５から、蓄積された情報を要求する信号が同軸ケーブル網を利用して、監視対象の民家１に送信される。この場合、警備会社２５と通信を行うことのできる部屋Ｃの蓄積機能付同軸ネットワークアダプタ２２が受信、処理を行う。
【０１１４】
ここで、警備会社２５と通信できる部屋Ｃの蓄積機能付同軸ネットワークアダプタ２２に対して、予め住民３３が蓄積情報を外部に送信する許可を行っているか、許可を行っていなければ、その都度部屋Ｃの蓄積機能付同軸ネットワークアダプタ２２は、許可を得るために住民３３のいる部屋ＣのモニタＴＶ１２に許可を要求する信号を送信する。そして、蓄積された情報を外部に送信する許可が得られれば、部屋Ｃの蓄積機能付同軸ネットワークアダプタ２２は、情報が蓄積されている部屋Ａの蓄積機能付同軸ネットワークアダプタ２１へ要求信号を送信する。
【０１１５】
そして、部屋Ｃの蓄積機能付同軸ネットワークアダプタ２２から要求信号を受信した部屋Ａの蓄積機能付同軸ネットワークアダプタ２１は、蓄積機能付同軸ネットワークアダプタ２１が蓄積している情報を部屋Ｃの蓄積機能付同軸ネットワークアダプタ２２へ送信する。部屋Ｃの蓄積機能付同軸ネットワークアダプタ２２は、蓄積機能付同軸ネットワークアダプタ２１が蓄積している情報を受信すると、その情報を外部機関である警備会社２５へ送信する。
【０１１６】
これによって、外部機関は、監視対象の民家１で蓄積された情報を同軸ケーブル４及び分配器２を利用することによって吸い上げることができる。
【０１１７】
（実施の形態８）
図８に、本発明の同軸伝送システムを利用した、実施の形態８の監視システムの構成図を示す。本実施の形態８の監視システムは、図６に示した実施の形態６の監視システムと同じ構成である。
【０１１８】
本実施の形態８では、警備会社２５と通信を行うことのできる部屋Ｃの同軸ネットワークアダプタ６が機能しなくなった場合の各装置の動作について説明する。
【０１１９】
各部屋Ａ〜Ｄに設置されている同軸ネットワークアダプタ５〜８は、同軸ケーブル及び分配器２を介して、相互に定期的に情報をやり取りしており、ある一定期間特定の同軸ネットワークアダプタからの応答がないと、その同軸ネットワークアダプタは機能していないと判断する。
【０１２０】
部屋Ｃの同軸ネットワークアダプタ６からの応答がなくなり、他の部屋Ａ、Ｂ、Ｄの同軸ネットワークアダプタ５、７、８は、部屋Ｃの同軸ネットワークアダプタ６が機能しなくなったと判断する。部屋Ｃの同軸ネットワークアダプタ６が機能しなくなると、外部の警備会社２５との通信手段がなくなるため、他の部屋Ａ、Ｂ、Ｄの同軸ネットワークアダプタ５、７、８のいずれかが、警備会社２５との通信を行う役割を担うように動作する。
【０１２１】
この新たに外部と通信する機能は、基本的にどの同軸ネットワークアダプタが果たしてもよく、ここでは部屋Ａの同軸ネットワークアダプタ５が外部との通信を行う役割を代替するものとする。したがって、本実施の形態８の説明では、部屋Ｃの同軸ネットワークアダプタ６が、本発明の管理用外部装置と通信する一の同軸ネットワークアダプタの一例であり、部屋Ａの同軸ネットワークアダプタ５が、本発明の他の一の同軸ネットワークアダプタの一例となる。なお、他の同軸ネットワークアダプタ７、８も同様の代替の機能を果たすことができることは言うまでもない。
【０１２２】
部屋Ｃの同軸ネットワークアダプタ６に代わって、新たに部屋Ａの同軸ネットワークアダプタ５が警備会社２５との通信を行うようになったことを、他の部屋Ｂ、Ｄの同軸ネットワークアダプタ７、８は、部屋Ａの同軸ネットワークアダプタ５と情報交換することによって把握する。
【０１２３】
このように、外部との通信を行っていた同軸ネットワークアダプタの代替を行うことによって、外部機関との通信が途絶えることがなくなる。そして、各部屋Ａ、Ｂ、Ｄの同軸ネットワークアダプタ５、７、８は、それぞれＥｔｈｅｒｎｅｔ３を通じてモニタＴＶ９、１１、１２へ送信し、部屋Ｃの同軸ネットワークアダプタ６が機能しなくなったことを住民に知らせる。
【０１２４】
また、同軸ネットワークアダプタ５、７、８が蓄積機能を備えていれば、機能しなくなった同軸ネットワークアダプタ６の情報を蓄積する。また、新たに警備会社２５との通信機能を果たすようになった部屋Ａの同軸ネットワークアダプタ５は、部屋Ｃの同軸ネットワークアダプタ６が機能しなくなったことを、外部機関へ送信し、その旨を知らせる。これによって、監視システムを構成する同軸ネットワークアダプタが機能しなくなった場合も迅速に対応ができる。
【０１２５】
なお、実施の形態５〜８では、民家１と警備会社２５との間を同軸ケーブル網で接続することとしたが、その他の接続形態であってもよい。例えば、大量のデータ伝送ができる光ファイバー等であってもよい。
【０１２６】
また、各実施の形態で説明したモニタＴＶには、テレビを使用してもよい。テレビ用の同軸ケーブルによって同軸ネットワークアダプタと接続するようにすれば、既存の多くのテレビを各実施の形態のモニタＴＶとして使用できる。
【０１２７】
また、各実施の形態の説明では、住民３３からの情報の要求や選択を、モニタＴＶに対して行うこととしたが、同軸ネットワークアダプタに直接行うようにしてもよい。例えば、同軸ネットワークアダプタに接続または備えられた入力装置で入力したり、リモコン等で無線により直接同軸ネットワークアダプタに送信するようにしてもよい。このようにした場合、モニタＴＶは、同軸ネットワークアダプタにデータを送信する機能が必要なく、同軸ネットワークアダプタから受信した情報を表示できる機能だけを備えていればよい。
【０１２８】
また、各実施の形態では、監視対象の建物を民家として仮定して説明したが、他の実施場所として、マンション、病院、店舗、工場など監視や管理を行う他の施設であっても構わないことは言うまでもない。
【０１２９】
各実施の形態の監視システムは、以上に説明したような特徴を持つことにより、管理対象の建物内でセンサーが異常を検知した場合、管理対象の建物内にいる人に異常を知らせることができる。さらに、管理対象の建物内でセンサーが異常を検知した場合に、管理対象建物内の人が、モニタＴＶを通じて、異常が発生した場所の様子をモニタリングすることができる。さらに、センサーが異常を検知した場合に、管理対象建物内の住民が不在の場合においても、情報を蓄積できることによって後の解析にも役立てることができる。さらに、管理対象の建物に対し強固なセキュリティを構築することができる。さらに、異常への対応も迅速に行うことができ、管理対象の建物の外部に、より詳細な情報を転送することができるため、より強固なセキュリティを構築することができる。さらに、異常への対応も迅速に行うことができ、外部との通信ができなくなった場合においても、他の同軸ネットワークアダプタが代わりをすることができるので、外部との通信ができなくなる状況を減らすことができる。
【０１３０】
なお、各実施の形態は、本発明の同軸伝送システムの例として監視システムを用いて説明したが、もちろん監視システム以外にも使用できる。
【０１３１】
例えば、宅内の異なる部屋に設置したパソコン同士の通信に、本発明の同軸伝送システムを用いてもよい。既存のテレビ用に配線された同軸ケーブルを使用でき、新たなケーブルの設置や装置の追加等が必要なく、安価に部屋間の伝送システムを構築できる。
【０１３２】
この場合、各実施の形態で情報入力部として説明したセンサーは必要なく、また、情報入力部として、モニタＴＶがその機能を兼ねるようにしてもよい。例えば、モニタＴＶとしてパソコンを使用することにより、様々な情報を他の部屋のパソコンに送信することができる。
【０１３３】
また、同軸ケーブルを利用しているので、無線を使用する場合等に生じるセキュリティ上の問題もない。
【産業上の利用可能性】
【０１３４】
既存の同軸ケーブル網を利用するホームセキュリティーや、監視を必要とする工場や、患者を監視することで様々な状況にできる病院など、監視対象建物内の部屋同士で監視が必要となる場所や、より強固なセキュリティー構築に適用できる。
【図面の簡単な説明】
【０１３５】
【図１】本発明の実施の形態１における、監視システムの構成図
【図２】本発明の実施の形態２における、監視装置を具備した監視システムの構成図
【図３】本発明の実施の形態３における、蓄積機能を有する同軸ネットワークアダプタを具備した監視システムの構成図
【図４】本発明の実施の形態４における、監視装置と、蓄積機能を有する同軸ネットワークアダプタとを具備した監視システムの構成図
【図５】本発明の実施の形態における、外部機関と監視対象の建物を接続した監視システムの構成図
【図６】本発明の実施の形態６における、監視装置を具備し、外部機関と監視対象の建物を接続した監視システムの構成図
【図７】本発明の実施の形態７における、監視装置を具備と、蓄積機能を有する同軸ネットワークアダプタとを具備し、外部機関と監視対象の建物を接続した監視システムの構成図
【図８】本発明の実施の形態８における、一つの同軸ネットワークアダプタが機能しなくなった場合を説明する、監視システムの構成図
【図９】従来の監視システムのレイアウト図
【符号の説明】
【０１３６】
１  民家
２  分配器
３  Ｅｔｎｅｒｎｅｔ
４  同軸ケーブル
５、６、７、８  同軸ネットワークアダプタ
９、１０、１１、１２  モニタＴＶ
１３、１４、１５、１６  センサー
１７、１８、１９、２０  監視装置
２１、２２、２３、２４  蓄積機能付同軸ネットワークアダプタ
２５  警備会社
【図１】
0004727141.tif 000002
【図２】
0004727141.tif 000003
【図３】
0004727141.tif 000004
【図４】
0004727141.tif 000005
【図５】
0004727141.tif 000006
【図６】
0004727141.tif 000007
【図７】
0004727141.tif 000008
【図８】
0004727141.tif 000009
【図９】
0004727141.tif 000010